(57)【特許請求の範囲】
【請求項１】
前方から見てロ字状の据付枠を介して、前面が室内側に露出するよう壁内に埋設して据え付けられる室内機を有し、室内機と室外機とを結ぶ配管を、前記室内機の背面下部で接続するようにした壁埋込形空気調和機において、
前記据付枠に設けられ、前後に移動自在な吊り下げ具と、
前記室内機に設けられ、前記吊り下げ具に掛合する引掛部とを備え、
前記吊り下げ具を前方に引き出し、前記吊り下げ具に前記引掛部を掛合させ、前記配管を含む室内機全体が壁より室内側に露出し直立状態で保持される構成としたことを特徴とする壁埋込形空気調和機。
【請求項２】
前記吊り下げ具を前記据付枠の上部位置に設け、前記引掛部を前記室内機の背面に設けたことを特徴とする請求項１記載の壁埋込形空気調和機。
【請求項３】
前記吊り下げ具を前記据付枠の側面に設け、前記引掛部を前記室内機の側面に設けたことを特徴とする請求項１記載の壁埋込形空気調和機。
【請求項４】
前記吊り下げ具は前面に嵌合爪部を有し、前記引掛部を吊り下げ具の前方から前記嵌合爪部に掛合するように構成したことを特徴とする請求項１記載の壁埋込形空気調和機。
【請求項５】
前記吊り下げ具は、前記据付枠に設けられたレールにより前後への移動が自在となるよう構成され、この前後の動作により前記室内機を吊り下げ具に掛合させた状態で、前記据付枠に収納されるようにしたことを特徴とする請求項１記載の壁埋込形空気調和機。
【請求項６】
前記室内機に前記レール及び吊り下げ具を収納する凹部を設け、前記レール及び吊り下げ具を前記室内機の壁への投影面内に配置したことを特徴とする請求項５記載の壁埋込形空気調和機。
【請求項７】
前記吊り下げ具を前方に引き出し、前記配管を含む室内機全体が壁より室内側に露出した状態で、前記上記吊り下げ具に前記引掛部を掛合させる場合に、前記室内機の安定性を確保する緩衝部材を前記室内機背面と壁の間に設けたことを特徴とする請求項１記載の壁埋込形空気調和機。
【請求項８】
前方から見てロ字状の据付枠を介して、前面が室内側に露出するよう壁内に埋設して据え付けられる室内機を有し、室内機と室外機とを結ぶ配管を、前記室内機の背面下部で接続するようにした壁埋込形空気調和機において、
前記室内機に設けられ、受け部を有する吊り下げ具と、
前記据付枠に設けられ、前面に開口部を有し、この開口部より前記吊り下げ具の受け部が挿入掛合されるレールとを備え、
前記吊り下げ具を前記レールの前部に挿入掛合させ、前記配管を含む室内機全体が壁より室内側に露出し直立状態で保持される構成としたことを特徴とする壁埋込形空気調和機。
【請求項９】
前記据付枠と前記レールとを同一材質にすると共に、前記吊り下げ具を前記レールに対して取り外し可能としたことを特徴とする請求項５記載の壁埋込形空気調和機。
【発明の詳細な説明】
【０００１】
【発明の属する技術分野】
この発明は、壁内に埋設して据え付けられる室内機を有する壁埋込形空気調和機に関するものである。
【０００２】
【従来の技術】
壁内に埋設して据え付けられる壁埋込形空気調和機の室内機は、その前面が室内側に露出するよう壁内に埋め込んで設置される。
図１１は、例えば特開平９−７９６５７公報に示された従来の壁埋込形空気調和機の室内機を示す図で、室内機を配置してから現地配管の接続を行う必要のあるものである。
【０００３】
図において、１は室内機であり、天面には引掛部５が、室内側前面には前面グリル６が取り付けられる。壁９内には据付枠２が埋め込まれており、据付枠２の上面の吊り下げ具４と、側面の爪部１０とが設けられるている。室内機１の背面下側角部には室外機とを接続するための配管３が配設されている。
【０００４】
このような構成を有する壁埋込形空気調和機は、配管３を接続する場合、室内側から室内機１上部を据付枠２内に入れた後、室内機１を室内側に引き戻し引掛部５を据付枠２に設けた吊り下げ具４に引っかけ、室内機１の下部にある配管３が室内側に露出するように吊り下げ具４と引掛部５の掛合部を中心に回転させた後、据付枠２の爪部１０を倒し室内機１の背面をこれに乗せることにより傾斜位置決めする。
【０００５】
【発明が解決しようとする課題】
従来の壁埋込形空気調和機は以上のように構成されているので、以下に説明する解決すべき問題点があった。
第１に、室内機１の引掛部５を据付枠２の吊り下げ具４に掛合する際、吊り下げ具４が据付枠２の奥に有るため、作業者が非常に見にくく作業性の悪いものであった。
第２に、据付枠２に設けられた吊り下げ具４が室内機１の上面側に突出するために室内機１の高さ寸法を縮小する必要があり、更に、吊り下げ具４と引掛部５の掛合部を中心に室内機１を回転させるために室内機１の下面と据付枠２の下面とは回転の際に干渉しないためにクリアランスを必要とするため、こちらでも室内機１の高さ寸法の縮小を余儀なくされる。
【０００６】
この発明は、かかる問題点を解決するためになされたもので、据付作業性が良く、かつ室内機の外形寸法への影響の少ない据付構造を有する壁埋込形空気調和機を提供することを目的とする。
【０００７】
【課題を解決するための手段】
この発明に係る壁埋込形空気調和機は、前方から見てロ字状の据付枠を介して、前面が室内側に露出するよう壁内に埋設して据え付けられる室内機を有し、室内機と室外機とを結ぶ配管を、室内機の背面下部で接続するようにした壁埋込形空気調和機において、据付枠に設けられ、前後に移動自在な吊り下げ具と、室内機に設けられ、吊り下げ具に掛合する引掛部とを備え、吊り下げ具を前方に引き出し、吊り下げ具に引掛部を掛合させ、配管を含む室内機全体が壁より室内側に露出し直立状態で保持される構成としたものである。
【０００８】
また、吊り下げ具を据付枠の上部位置に設け、引掛部を室内機の背面に設けたものである。
【０００９】
また、吊り下げ具を据付枠の側面に設け、引掛部を室内機の側面に設けたものである。
【００１０】
また、吊り下げ具は前面に嵌合爪部を有し、引掛部を吊り下げ具の前方から嵌合爪部に掛合するように構成したものである。
【００１１】
また、吊り下げ具は、据付枠に設けられたレールにより前後への移動が自在となるよう構成され、この前後の動作により室内機を吊り下げ具に掛合させた状態で、据付枠に収納されるようにしたものである。
【００１２】
また、室内機にレール及び吊り下げ具を収納する凹部を設け、レール及び吊り下げ具を室内機の壁への投影面内に配置したものである。
【００１３】
また、吊り下げ具を前方に引き出し、配管を含む室内機全体が壁より室内側に露出した状態で、上記吊り下げ具に引掛部を掛合させる場合に、室内機の安定性を確保する緩衝部材を室内機背面と壁の間に設けたものである。
【００１４】
また、前方から見てロ字状の据付枠を介して、前面が室内側に露出するよう壁内に埋設して据え付けられる室内機を有し、室内機と室外機とを結ぶ配管を、室内機の背面下部で接続するようにした壁埋込形空気調和機において、室内機に設けられ、受け部を有する吊り下げ具と、据付枠に設けられ、前面に開口部を有し、この開口部より吊り下げ具の受け部が挿入掛合されるレールとを備え、吊り下げ具をレールの前部に挿入掛合させ、配管を含む室内機全体が壁より室内側に露出し直立状態で保持される構成としたものである。
【００１５】
また、据付枠とレールとを同一材質にすると共に、吊り下げ具をレールに対して取り外し可能としたものである。
【００１６】
【発明の実施の形態】
実施の形態１．
以下、この発明の壁埋込形空気調和機の具体的な実施の形態の一例について、図面を参照して詳細に説明する。
図１は、この発明の実施の形態１における室内機の直立状態を示す側面図である。図に示すように、室内機１の背面上部に設けた引掛部５を、据付枠２の上面に設けた吊り下げ具４に室内側より掛合させる。これにより室内機１は直立状態で保持される。この状態では、室内機１は壁９より全て室内側に露出した状態となり、室内機１の下方は開放状態であり、この空間で配管３の接続作業を行う。
【００１７】
図２は、吊り下げ具４の拡大斜視図であり、概略コの字状に形成されている。据付枠２のレール７（後述）に収納され、室内機１を吊り下げるための受け部４Ａが、室内機１の引掛部５と嵌合する嵌合爪部４Ｂより幅広く形成される。
【００１８】
図３は、据付枠２を斜め下より見た図であり、据付枠２の上面に設けられた複数のレール７は据付枠２の奥行き方向に長く配置され、吊り下げ具４の移動用の穴７Ａが開けられる。この移動用の穴７Ａには、吊り下げ具４が組み込まれる。
【００１９】
図１に示すように室内機１を掛合した後、図３に示すように吊り下げ具４をレール７の移動用の穴７Ａに沿って据付枠２の奥に移動させ、すなわち室内機１は、吊り下げ具４と引掛部５で掛合した状態で、据付枠２に図４に示すように収納される。
【００２０】
レール７と据付枠２とは共に溶融亜鉛メッキ鋼板で構成されているので、これらは一体のままリサイクル処理が可能になる。
また受け部４Ａの幅をレール７の幅より狭くし、レール７内で水平方向に受け部４Ａを９０°回転させ、吊り下げ具４のコ字状底部方向にひねることによって吊り下げ具４をレール７から取り外せるようにすれば、吊り下げ具４と、レール７と、据付枠２とを別材質とすることができる。
この結果、吊り下げ具としてレール摺動時の音を小さくしたり、円滑にできる材質を選択することが可能になると共に、リサイクル処理時の分別を容易に行える構成とすることができる。
【００２１】
上述の実施の形態によれば、室内機１の掛合を前方より行うため作業者が掛合部を目視でき、据付作業が確実に、且つ容易に行うことが可能となる。
また、室内機１を直立状態のまま据付枠２に収納するため、据付枠２と室内機１との収納に際する下面の隙間を最小限に抑えることができ、コンパクト化が図れる。
【００２２】
実施の形態２．
以下、この発明の壁埋込形空気調和機の具体的な実施の形態の他の例について、図面を参照して詳細に説明する。
図５は実施の形態２における室内機を示す斜視図、図６は実施の形態２における壁埋込形空気調和機を据付枠に収納した状態を示す側面図、図７は実施の形態２における壁埋込形空気調和機を壁内に据え付けた正面図である。
本実施の形態は、室内機１の壁への投影面内にレール７及び吊り下げ具４を配置したものであり、室内機１の天面には奥行き方向に渡り凹部８がレール７と同数設けられる。この凹部８にレール７及び吊り下げ具４の突出部を収納することにより、室内機１及び据付枠２の高さ寸法の縮小化が図れる。
【００２３】
実施の形態３．
また、図８に示すように、凹部８及びレール７を室内機１及び据付枠２の側面に設けた場合にも、実施形態１，２，３と同様な効果を得ることができる。
【００２４】
実施の形態４．
図９は、実施の形態４による室内機の直立状態を示す側面図である。
実施の形態１にて説明したように、室内機１全体を壁９より室内側に露出させ室内機１背面と壁９の間に隙間を設けたことにより、配管３の作業空間が確保できるが、配管３の接続作業時に室内機１が不安定な場合には、この隙間に緩衝部材１０を挟み込むことにより、室内機１の安定性が確保でき据付作業性の改善が図れる。
【００２５】
実施の形態５．
図１０は、実施の形態５による室内機と据付枠とを示す斜視図である。
室内機１の背面側上部位置に受け部４Ａを有する吊り下げ具４を設け、受け部４Ａを据付枠２に設けた移動用の穴７Ａを有し、前面が開口したレール７に収納したもので、この構成においても、上記実施の形態１と同様の効果を得ることが可能となる。
【００２６】
【発明の効果】
この発明に係る壁埋込形空気調和機は、吊り下げ具を前方に引き出し、上記吊り下げ具に引掛部を掛合させ、配管を含む室内機全体が壁より室内側に露出し直立状態で保持される構成としたので、簡素な構成によって配管作業を容易にすることが可能となる。
【００２７】
また、吊り下げ具は前面に嵌合爪部を有し、引掛部を吊り下げ具の前方から嵌合爪部に掛合するように構成したので、据付作業性を向上させることが可能となる。
【００２８】
また、室内機にレール及び吊り下げ具を収納する凹部を設け、レール及び吊り下げ具を室内機の壁への投影面内に配置したので、室内機及び据付枠のコンパクト化が可能となる。
【００２９】
また、吊り下げ具を前方に引き出し、配管を含む室内機全体が壁より室内側に露出した状態で、上記吊り下げ具に引掛部を掛合させる場合に、室内機の安定性を確保する緩衝部材を室内機背面と壁の間に設けたので、室内機の安定性が確保でき据付作業性の改善が図れる。
【００３０】
また、室内機に、受け部を有する吊り下げ具を設け、据付枠に、前面に開口部を有し、この開口部より吊り下げ具の受け部が挿入掛合されるレールを設け、吊り下げ具をレールの前部に挿入掛合させ、配管を含む室内機全体が壁より室内側に露出し直立状態で保持される構成としたので、部品点数を減らすことができる。
【００３１】
また、据付枠とレールとを同一材質にすると共に、吊り下げ具をレールに対して取り外し可能としたので、摺動時の動作をスムーズにしながら、リサイクル処理時の作業性を向上させることができる。
【図面の簡単な説明】
【図１】  この発明の実施の形態１による壁埋込形空気調和機の室内機の直立状態を示す側面図である。
【図２】  実施の形態１による室内機の吊り下げ部を示す拡大図である。
【図３】  実施の形態１による室内機の据付枠を示す斜視図である。
【図４】  実施の形態１による室内機を据付枠に収納した状態を示す側面図である。
【図５】  実施の形態２による室内機を示す斜視図である。
【図６】  実施の形態２による室内機を据付枠に収納した状態を示す側面図である。
【図７】  実施の形態２による室内機を壁内に据え付けた正面図である。
【図８】  実施の形態３による室内機を壁内に据え付けた正面図である。
【図９】  実施の形態４による室内機に緩衝部材を使用した状態を示す側面図である。
【図１０】  実施の形態５による室内機を示す斜視図である。
【図１１】  従来の壁埋込形空気調和機の室内機を示す側面図である。
【符号の説明】
１  室内機、２  据付枠、３  配管、４  吊り下げ具、４Ａ  受け部、４Ｂ  嵌合爪部、５  引掛部、６  前面グリル、７  レール、７Ａ  移動用の穴、８  凹部、９  壁、１０  緩衝部材。
【図１】
0003764283.tif 000002
【図２】
0003764283.tif 000003
【図３】
0003764283.tif 000004
【図４】
0003764283.tif 000005
【図５】
0003764283.tif 000006
【図６】
0003764283.tif 000007
【図７】
0003764283.tif 000008
【図８】
0003764283.tif 000009
【図９】
0003764283.tif 000010
【図１０】
0003764283.tif 000011
【図１１】
0003764283.tif 000012